(57)【特許請求の範囲】
【請求項１】
窓枠側に形成されたロック受部と、スライドガラス側に取り付けられて上記ロック受部に係脱自在な掛止具とからなるロック装置において、
掛止具が、スライドガラス側に固定される固定ベース部と、
前記ロック受部に掛止可能な爪部を先端に有する引掛片部と、
該引掛片部と固定ベース部との間に介設されてスライドガラスに沿って延びると共に、引掛片部をロック乃至ロック解除方向に屈曲させる部位を有するバネ状部材となる連設片部と、
前記引掛片部の基端側に立設されて引掛片部をロック乃至ロック解除姿勢に変位させる操作片部と、
該操作片部の後方で外方へ突出し、前記爪部がロック孔から外れた位置で先端が固定壁部または固定ベース部に衝合して操作片部のロック解除方向への屈曲角度を規制するように形成されたストッパとを一体に形成してなることを特徴とするスライド窓用ロック装置。
【請求項２】
引掛片部に、該引掛片部から延びて先端がスライドガラスに衝合して引掛片部をロック姿勢に保持する保持片部を備えてなることを特徴とする請求項１に記載のスライド窓用ロック装置。
【請求項３】
操作片部のロック解除方向の操作で保持片部の先端を支点として引掛片部をロック解除方向へ傾動させうることを特徴とする請求項１または２に記載のスライド窓用ロック装置。
【請求項４】
保持片部の長さを、保持片部の先端がスライドガラスと接する長さより長く設定してなり、引掛片部の爪部に与圧を与えることを特徴とする請求項１、２または３に記載スライド窓用ロック装置。
【請求項５】
掛止具の素材が、摩擦係数が小さく、耐クリープ性に優れ、弾性があるポリアミド（ナイロン）や、ポリアセタール等の高分子化合物、あるいはこれにガラス繊維を混入したものからなっていることを特徴とする請求項１から４のいずれかに記載のスライド窓用ロック装置。
【発明の詳細な説明】
【０００１】
【産業上の利用分野】
この発明は、窓枠側に形成されたロック受部と、スライドガラスに取り付けられて上記ロック受部に係脱自在な掛止具とからなるロック装置の改良に関する。
【０００２】
【従来の技術】
従来、室内その他の壁面に沿ってスライドする開閉自在なスライド窓を閉じた際にロックするスライド窓用ロック装置として以下の構造が知られている。
即ち、スライド窓には有底の固定基台が固着されており、その両側壁には引掛片と操作片を有する作動部材が回転軸を介して枢着されており、該作動部材はコイルバネでロック方向に付勢され、また前記引掛片の先端には爪部が形成されている。
一方、室内の壁面側には窓枠が設けられてスライド窓の側方の縁部をスライド自在に保持すると共に、スライド窓の先端と衝合する受部が形成されており、その受部には掛止受片が突設されている。
そして、スライド窓を閉めるときは、引掛片の爪部が掛止受片を乗り越えて係止しロックが完了する。
スライド窓を開けるときは、操作片をロック解放方向に手で回転して、爪部と掛止受部との係合を解き、スライド窓を開窓方向に動かせばよい。
しかし、上記のような従来のスライド窓用ロック装置では、固定部材に作動部材を枢着する回転軸を別体に設ける必要があり、部材点数が多く、組立工数も煩雑となりまたコスト面でも費用がかかる欠点がある。
そこで、本出願人は、実公平７−１８８５８号で示すように回転軸を作動部材に一体に設けて、固定基台に設けた軸受孔にワンタッチで嵌込んで組み立てることができるようにしたスライド窓用ロック装置を提案した。
この構造を図６に示すと、爪部２３を有して枢動する引掛片部２４と、これを作動させる操作片部２７とを一体に有し左右側面に一対の枢軸２５を有する可動構成部２１Ａと、窓側に固定される取付片部２２ａと固定壁部２２ｂと軸受部２６とを有する固定ベース部２１Ｂとの２つの成形品で構成された掛止具２１からなっており、上記従来構造の欠点を解消して相応の成果をあげている。
【０００３】
【発明が解決しようとする問題点】
しかし、上記スライド窓用ロック装置では、引掛片部を固定ベース部に枢着するので、組立工数が発生するなどの問題点がある。
また、前記枢着個所では、枢軸が軸ロック受部分との摩擦でこすれ、同一素材の場合には異音を生じるため、双方の素材を異にして異音の発生を防いでいる。そのため成形型投資削減のために一般に行われている両部材の共取り（セット取り）を行うことができない。
また、前記枢動個所に精度不良があると操作フィーリングが悪くなる虞れがある。
更に、使用部品はそれぞれ独立した部品であるため、組立後に双方が容易に分離しないような形状にする必要があり、構造が複雑となって成形型のコストアップをきたす等の問題点がある。
【０００４】
この発明は上記問題点を解決するために創案されたものであって、その主たる課題は、従来二部品に分かれていた引掛片部と固定ベース部とを一体に成形し、引掛片部をロック乃至ロック解除方向に屈曲しうるようにしたスライド窓用ロック装置を提供することにある。
この発明の別の課題は、操作時の節度感を持たせるために、引掛片部に初期荷重を与えるように保持片部を設けたスライド窓用ロック装置を提供することにある。
この発明の更に別の課題は、シールの反撥力等によりきつくロックされている場合でも、前記保持片部を支点として引掛片部をロック解除方向に傾動しうるようにしたスライド窓用ロック装置を提供することにある。
【０００５】
【課題を解決するための手段】
この発明は前記課題を解決するために、請求項１の発明では、
窓枠側に形成されたロック受部と、スライドガラス側に取り付けられて上記ロック受部に係脱自在な掛止具とからなるロック装置において、
掛止具が、スライドガラス側に固定される固定ベース部と、
前記ロック受部に掛止可能な爪部を先端に有する引掛片部と、
該引掛片部と固定ベース部との間に介設されてスライドガラスに沿って延びると共に、引掛片部をロック乃至ロック解除方向に屈曲させる部位を有するバネ状部材となる連設片部と、
前記引掛片部の基端側に立設されて引掛片部をロック乃至ロック解除姿勢に変位させる操作片部と、
該操作片部の後方で外方へ突出し、前記爪部がロック孔から外れた位置で先端が固定壁部または固定ベース部に衝合して操作片部のロック解除方向への屈曲角度を規制するように形成されたストッパとを一体に形成してなる、という技術的手段を講じている。
【０００６】
また、請求項２の発明では、
前記引掛片部に、該引掛片部から延びて先端がスライドガラスに衝合して引掛片部をロック姿勢に保持する保持片部を備えてなる、という技術的手段を講じている。
更に、請求項３の発明では、
操作片部のロック解除方向の操作で保持片部の先端を支点として引掛片部をロック解除方向へ傾動させうる、という技術的手段を講じている。
【０００７】
また、請求項４の発明では、
保持片部の長さを、保持片部の先端がスライドガラスと接する長さより長く設定してなり、引掛片部の爪部に与圧を与える、という技術的手段を講じている。
更に、請求項５の発明では、
前記操作片部の後方に、操作片部をロック解除方向に変位させた際にその完了位置で固定ベース部と衝合するストッパを設けてなる、という技術的手段を講じている。
また、請求項６の発明では、
掛止具の素材が、摩擦係数が小さく、耐クリープ性に優れ、弾性があるポリアミド（ナイロン）や、ポリアセタール等の高分子化合物、あるいはこれにガラス繊維を混入したものからなっている、という技術的手段を講じている。
【０００８】
【発明の実施の形態】
以下に、この発明のスライド窓用ロック装置の好適実施例を図面に基づいて説明する。
このスライド窓用ロック装置は、図２および図３に示すように、窓枠１０側に形成されたロック受部１１と、スライドガラスＷに取り付けられて上記ロック受部１１に係脱自在な掛止具１とからなっている。
【０００９】
即ち、スライドガラスＷは、キャビンや室内の壁面１８に形成されてスライド方向に延びる窓枠１０にガイドされて開閉自在となっている。
そして、窓枠１０の開閉端にはストライカと呼ばれるロック受部１１が設けられ、スライドガラスＷに設けられた掛止具１の爪部３が前記ロック受部１１に掛止られてロックされるようになっている。
ロック受部１１は、図２に示すように、スライドガラスＷを閉じる際にその先端を嵌合し隙間無く衝合させる窓枠１０のチャンネル溝１５に沿って室内側に固設されたストライカからなっており、先端は弧状に湾曲してガイド片１２となっており、中途位置にはロック孔１３が形成されており、爪部３が掛止可能となっている。
【００１０】
一方、掛止具１は、図１に示すように、スライドガラスＷに固定される固定ベース部２と、前記ロック受部１１に掛止可能な爪部３を有する引掛片部４と、引掛片部４を固定ベース部２に連接すると共に、引掛片部４をロック乃至ロック解除方向に屈曲させる支点Ｐ１（図２参照）を有する連設片部５と、前記引掛片部４から延びて先端がスライドガラスＷに衝合して引掛片部４をロック姿勢に保持する保持片部６と、前記引掛片部４に連接して前記引掛片部４をロック乃至ロック解除姿勢に起伏させる操作片部７とからなって一体に形成されている。
ここで、掛止具１の素材としては、摩擦係数が小さく、耐クリープ性に優れ、弾性がある合成樹脂材が好ましく、例えばポリアミド（ナイロン）や、ポリアセタール等の高分子化合物が用いられるが、強度を高めるためにガラス繊維などを混入したものであってもよい。
【００１１】
固定ベース部２は、両側にスライドガラスＷに固定する取付片部２ａを有し、中央には固定壁部２ｂを立設した構成からなっている。
この固定壁部２ｂの前方に、両側縁が取付片部２ａから切り離されており、前記スライドガラスＷから離間して中空位置に延びて引掛片部４につながる連設片部５が形成されている。
ここで連設片部５は、反発可能に撓むことができるように厚みがやや薄く設定されており、図２に示すように、引掛片部４のロック乃至ロック解除時の傾動に際してその屈曲支点Ｐ１となる。
【００１２】
次ぎに、引掛片部４は前方へ延びると共に先端に掛止用の爪部３を有している。
爪部３は先端がやや内向きに傾斜する円弧状またはテーパ状のガイド面３ａに形成されており、通常はロック姿勢に保持されている。
そこで、スライドガラスＷを閉めると、爪部３のガイド面３ａが前記ロック受部１１の先端で固定位置にあるガイド片１２と衝合し、爪部３のガイド面３ａがガイド片１２に沿って爪部３を押し上げ、ロック受部１１の先端を通過させる。この際に、爪部３はロック方向に付勢されるので、ロック孔１３に爪部３が整合すると爪部３が上記付勢力によりロック孔１３に没入し、自動的にロックが行われる。
【００１３】
ロック解除時には、操作片部７と固定壁部２ｂとに指を掛けわたし、反発力に抗して操作片部７を引き寄せ、引掛片部４を外向きに傾動させて爪部３をロック孔１３から外す。
この際に、操作片部７の後方には、これと略直交して外方へ延びるストッパ８が設けられている。
操作片部７をロック解除方向に変位させた際に、爪部３がロック孔１３から外れた位置でストッパ８の先端が固定壁部２ｂに衝合するように設定してあるので、引掛片部４はロック解除に必要なだけ傾倒し、支点となる連結片部５が必要以上に大きな角度で屈曲されることがなく、耐久性を向上させうる。
そして、これによりスライドガラスＷは拘束から解除されるのでロックが外れ、適宜に窓を開けることができる。
また、操作片部７を離せば、引掛片部４は元の姿勢に戻る。
【００１４】
上記実施例では保持片部６を設けたが、この発明では保持片部６は設けなくてもよい。
図４に示す掛止具は、保持片部を設けない異なる実施例を示す。
この場合、連設片部５の厚みを厚くすることにより保持力を高めることができるが、支点として機能させるために支点個所に溝を形成する等して定位置で屈曲しやすくしてもよい。
これらの場合も前記実施例と同様の作用、効果を奏することができ、その他の構成は前記実施例と同様であるので、その説明を省略する。
【００１５】
この発明で、保持片部６は、引掛片部４をスライドガラスＷに対して略平行する姿勢に保持するためのものであるので、その先端はスライドガラスＷに接するか、あるいは接近してしていればよい。
しかし、図１から図３に示した実施例においては、保持片部６の長さを、保持片部６の先端がスライドガラスＷと接する長さよりも長く設定しており、連設片部５は僅かに撓んで取り付けられる。
【００１６】
これにより、保持片部６の先端はスライドガラスＷを加圧した状態でスライドガラスＷに衝合しているので、引掛片部４の爪部３に与圧が働らく。
従って、操作片部７を操作する際に、はじめに軽く力を入れても引掛片部４は動かず、更に力を入れると動き始めるので、操作時の節度感を持たせることができる。
更に、爪部３がロック孔１３にきつく掛止られている場合には、図３で示すように、操作片部７をロック解除方向に強く傾けると、保持片部６の先端が支点Ｐ２となり、逆に連設片部５は撓みを大きく膨らませながら引掛片部４をロック解除方向に傾動させて爪部３をロック孔１３から外すことができる（図３参照）。
【００１７】
図５に示すロック装置は、実願昭５９−７８０１６号に示されるような盗難防止用タイプとして考えられたスライド窓用ロック装置としても利用することができるようにした実施例である。
この場合、固定ベース部２に立設された摘み部２ｂ'が固定壁部に対応しており、また摘みレバー部７が操作片部に対応する。
そして、摘みレバー部７を押し下げながら引掛片部４の爪部３をロック孔１３から外すことができる。
その他の構成は前記実施例に準じるのでその説明を省略する。
【００１８】
この実施例ではロック受部がロック孔からなる場合を例示したが、爪部に対応するフック状のロック受部であってもよい。
また、掛止具の素材は前記実施例に限定されるものではなく、適宜に選択した弾性を有する合成樹脂材を用いることができる。
その他、要するにこの発明の要旨を変更しない範囲で種々設計変更しうる。
【００１９】
【発明の効果】
この発明では、従来二部品に分かれていた固定側の固定ベース部と、可動側の引掛片部や操作片部をバネ状部材となる連設片部で連結し、合成樹脂のような弾力性のある素材で一体に成型したので、部品点数や組立工数を減少させることができ、量産に適すると共にコストダウンを図ることができる。
また、保持片部の先端をスライドガラスとの衝合位置より長く設定することにより、前記連設部分を僅かに変形して取り付けることになり、操作時の節度感を持たせることができる。
更に、爪部がロック受部に強く係合している場合でも、保持片部の先端を支点とし、連設片部が撓んでしまっても、操作片部のより接近した梃作用で引掛片部を強く引き起こすことができ、容易にロック解除することができる。
【図面の簡単な説明】
【図１】この発明の掛止具の実施例を示す斜視図である。
【図２】ロック装置の作用を説明する側断面図である。
【図３】保持片部の先端を支点とした場合の作用を示す側断面図である。
【図４】保持片部を設けない場合の実施例を示す側断面図である。
【図５】異なる実施例を示す側断面図である。
【図６】従来の掛止具を示す斜視図である。
【符号の説明】
１      掛止具
２      固定ベース部
２ａ    取付片部
２ｂ    固定壁部
３      爪部
３ａ    ガイド面部
４      引掛片部
５      連設片部
６      保持片部
７      操作片部
８      ストッパ
１０      窓枠
１１      ロック受部
１２      ガイド片
１３      ロック孔
１５      チャンネル溝
Ｗ      スライドガラス
【図１】
0003728131.tif 000002
【図２】
0003728131.tif 000003
【図３】
0003728131.tif 000004
【図４】
0003728131.tif 000005
【図５】
0003728131.tif 000006
【図６】
0003728131.tif 000007